(57)【要約】【課　　題】新聞古紙を利用し、オフィスや家庭などで発生する雑紙を回収するための袋を形成し、この袋をオフィスや家庭などで雑紙を収容し易い状態で設置することにより、オフィスや家庭等で発生する雑紙を効率的に収集し、袋が一ぱいになったらその口を紙紐等で閉じて再製紙用の原料としてそのままの姿勢で雑紙と一緒に回収に出し、回収された袋はそのままの姿で何らの手を加えることなくそのまま再生処理できるようにした新たなオフィスや家庭等の雑紙回収装置を提供すること。【解決手段】２つ折りされた新聞古紙１の開放側の側辺と下辺をこれらの辺に沿って接合することにより上部を開口ｋして形成した袋Ｆ１と、該袋Ｆ１を立姿勢で保持する厚紙製などの囲い枠５と、前記袋Ｆ１の開口を閉じるための紙紐２とから成ること。【選択図】　　図３
0003097886.tif 000002
【実用新案登録請求の範囲】
【請求項１】
２つ折りされた新聞古紙の開放側の側辺と下辺をこれらの辺に沿って接合することにより上部を開口して形成した袋と、該袋を立姿勢で保持する厚紙製などの囲い枠と、前記袋の開口を閉じるための紙紐とから成ることを特徴とするオフィスや家庭等の雑紙回収装置。
【請求項２】
見開き状態に開いた新聞古紙を重ね合わせ、長辺側の２辺と短辺側の１辺に沿って接合することにより上部を開口して形成した袋と、該袋を立姿勢で保持する厚紙製などの囲い枠と、前記袋の開口を閉じるための紙紐とから成ることを特徴とするオフィスや家庭等の雑紙回収装置。
【請求項３】
袋を形成する新聞古紙は、１枚又は２枚以上重ね合わされたものである請求項１又は２のオフィスや家庭等の雑紙回収装置。
【請求項４】
囲い枠は、平面４角形等の多角形状或は円筒形状の無底又は有底の折畳み可能な枠部材である請求項１〜３のいずれかのオフィスや家庭等の雑紙回収装置。
【請求項５】
紙紐は、新聞古紙再生パルプを含む古紙リサイクル紙紐である請求項１〜４のいずれかのオフィスや家庭等の雑紙回収装置。
【考案の詳細な説明】
【０００１】
【考案の属する技術分野】
本考案は、オフィスや家庭などにおいて、従来は可燃ゴミとして処分されていた新聞や雑誌以外の雑紙を、再製紙用の古紙として回収するのに好適な雑紙回収装置に関する。
【０００２】
【従来の技術】
従来から、オフィスや家庭などで発生する新聞古紙や雑誌、プリンタ用紙などは、それらを分別した上で纏めて結束することなどにより、それらを古紙回収業者が定期的に回収し、再製紙用の原料として使用するなど、リサイクル用古紙として有用されている。
【０００３】
しかし乍ら、オフィスや家庭などで発生する古紙類は、上記のように分別されて回収ルートに出されるものばかりではなく、広告紙や半端な切り抜き紙、或は、使用済みのメモ用紙、破れた紙、折れ曲がった紙など、大きさや紙質などが不揃いの雑多なものも多く、このような雑紙は、従来はその他の可燃ゴミと一緒に焼却処分され、再製紙用の原料としてリサイクルされない例が多かった。
【０００４】
上記のように雑紙が再製紙用の原料としてリサイクルされないのは、新聞や雑誌、或は、プリンタ用紙などのように形態（大きさ，形状など）が一定でないため、纏めて結束しにくいこと、並びに、回収しようとする紙の質が一定でないなどの理由がある。しかし、仮にそれらの雑紙をビニール製やポリエチレン製などの使用済みの買物袋等に収容し回収に供しても、再製紙用の原料として使用するときは、袋の中から雑紙を取出す必要があるため、煩雑である上に、その袋も別途処分もしなければならないという問題がある。
【０００５】
従って、雑紙を、それと一緒に何ら手を加えずそのまま再製紙用の原料としてリサイクルすることができる雑紙の回収手段があれば、上記の問題を解決することができる。このような回収手段としては、回収した新聞古紙を利用して袋を作り、この袋に雑紙を収集することが考えられるが、回収された新聞古紙は、折畳み方が不揃いであったり破れたものが入っているので、読み終えて回収された新聞古紙から雑紙回収用の袋を形成するのは、却って手間がかかるという懸念がある。
【０００６】
しかし、最近ではリサイクルマナーが向上し、回収新聞古紙の品質が向上したこと、オフィス等から回収される新聞古紙は古紙品質が良好であること、或は、新聞販売店や駅の売店などで売れ残った新聞紙は、まだページを開いたりしていないため、当初の２つ折りした状態が保持されていて形崩れがなく、紙の傷みも殆どないので、これらの品質良好な新聞古紙は再生原料以外の利用を図る上で好適な状況になってきている。
【０００７】
【考案が解決しようとする課題】
そこで、本考案では上記の品質良好な新聞古紙を利用し、オフィスや家庭などで発生する雑紙を回収するための袋を形成し、この袋をオフィスや家庭などで雑紙を収容し易い状態で設置することにより、オフィスや家庭等で発生する雑紙を効率的に収集し、袋が一ぱいになったらその口を閉じて再製紙用の原料としてそのままの姿勢で雑紙と一緒に回収に出し、回収された袋はそのままの姿で何らの手を加えることなくそのまま再生処理できるようにした新たなオフィスや家庭等の雑紙回収装置を提供することを、その課題とするものである。
【０００８】
【課題を解決するための手段】
上記課題を解決することを目的としてなされた本考案の構成は、２つ折りされた新聞古紙の開放側の側辺と下辺をこれらの辺に沿って接合することにより上部を開口して形成した袋と、該袋を立姿勢で保持する厚紙製などの囲い枠と、前記袋の開口を閉じるための紙紐とから成ることを特徴とするものである。
【０００９】
上記課題を解決することを目的としてなされた本考案の他の構成は、見開き状態に開いた新聞古紙を重ね合わせ、長辺側の２辺と短辺側の１辺に沿って接合することにより上部を開口して形成した袋と、該袋を立姿勢で保持する厚紙製などの囲い枠と、前記袋の開口を閉じるための紙紐とから成ることを特徴とするものである。
【００１０】
本考案は、上記構成において、袋を形成する新聞古紙は１枚又は２枚以上重ね合わされたものを使用することができる。また、囲い枠は平面４角形等の多角形状或は円筒形状の無底又は有底の折畳み可能な枠部材を使用することができ、更に、紙紐は新聞古紙再生パルプを含む古紙リサイクル紙紐を使用するのが望ましい。なお、上記において、囲い枠が無底の場合は袋を保持したまま移動しない場合の使用を、有底の場合は袋を保持した移動する使用を、それぞれ想定したものである。
【００１１】
【考案の実施の形態】
次に、本考案の実施の形態例について図に拠り説明する。図１は本考案装置の構成部材の一つである袋の一例の斜視図、図２は本考案装置の構成部材の一つである袋の別例の斜視図、図３は図１に示した袋を用いた本考案装置の一例の使用状態を説明するための斜視図、図４は図１に示した袋を用いた本考案装置の別例の使用状態を説明するための斜視図である。
【００１２】
図１において、１は２つ折りされた新聞古紙で、１ａはこの新聞古紙１の開閉側の側辺に沿って折返した縦向きの端縁、１ｂは下辺に沿って折り返した横向きの端縁である。これらの端縁１ａ，１ｂはそれぞれの対向する端縁同士を重ね合わせ、デンプン糊などの接着剤により貼着することにより、上方を開口ｋした袋Ｆ１に形成されている。２はこの袋の開口ｋ側にここではテープ２ａにより取付けた紙紐で、雑紙を収容した後、この袋Ｆ１の開口ｋを閉じるためのものである。紙紐２は糊付けにより取付けてもよく、また、袋Ｆ１に取付けておかなくてもよい。なお、この紙紐２は、新聞古紙と同様、再製紙用の原料になり得る材質のものである。例えば、特開２０００−７０１４号公報に開示されている古紙リサイクル紙紐のように、新聞古紙再生パルプと再生パルプを主成分とする再生紙を原紙として撚り上げた紙紐のように、安価で再製紙原料として使用することができるものを使用するのが望ましい。また、袋Ｆ１を形成する新聞古紙１は、１枚でもよいが、袋としての強度を持たせるため、２枚又は３枚以上を重合したまま使用するのが好ましい。
【００１３】
図２は、見開き状態に開いた２組の新聞古紙３，４を重ね合わせ、縦向き長辺側の左右の２辺と横向き短辺側の下辺に沿ってデンプン糊などの接着剤により貼着して形成した袋Ｆ２を示している。従って、３ａは新聞古紙３の長辺に沿って折返し接着された左方の端縁、４ａは新聞古紙４の長辺に沿って折返し接着された右方の端縁、３ｂは下辺に沿って折返し接着された端縁で、上方が開口ｋした袋Ｆ２が形成されている。なお、紙紐２は図１に示したものと同じである。また、新聞古紙３，４は、１枚でもよいが、袋としての強度を持たせるため、２枚又は３枚以上を重合したまま使用するのが好ましい。
【００１４】
次に、図３により、図１に示した袋Ｆ１を用いオフィスや家庭等で使用する本考案装置の使用状態を説明する。図３において、５は袋Ｆ１を立姿勢で保持する厚紙などにより形成された囲い枠部材で、厚紙以外には、段ボールやその他の材料で、袋Ｆ１，Ｆ２の立ち姿勢保持に耐える材質の部材により形成されれば足りる。ここでは、段ボール紙を使用し、上下とも開口した平面四角形の枠状に形成されている。５ａはこの囲い枠部材５の側面に設けた手掛かり用孔で、この孔５ａに指を入れて囲い枠部材５を移動させたり、持ち上げたりするためのものである。なお、囲い枠部材５は円筒状でも、平面６角形などの平面多角形状であってもよい。また、段ボール紙ではなく、プラスチック製や金属製、或は、木製の板材などを使用し枠部材５を形成してもよい。更に、囲い枠部材５は、折畳んで平坦に形成できる構造とすることが好ましく、底を具備させることもある。なお、ｚは袋１に収容する雑紙である。
【００１５】
図４は囲い枠部材５に平面６角形で無底のものを使用し、図１に示した袋Ｆ１を用いオフィスや家庭等で使用する本考案装置の別例の使用状態を示している。具体的には、雑紙ｚを収容して袋Ｆ１の開口ｋを紙紐２で閉じた後、囲い枠部材５の手掛かり用孔５ａに指を入れて囲い枠部材５を持ち上げ、袋Ｆ１から取外した状態を示している。このように囲い枠部材５を取外された袋Ｆ１は、収容されている雑紙ｚ及び紙紐２と一緒にそのままリサイクルの回収ルートに乗せ、製紙工場の溶解再生処理装置にそのまま投入できる。なお、図３に示したものと同一の符号は同一の部材を示している。
【００１６】
上記図３，図４に示した囲い枠部材５は底が無いものを使用しているが、底が有るものを使用してもよい。本考案においては、底がない無底の囲い枠部材５が推奨される。その理由は、▲１▼立姿勢保持された雑紙ｚを収容した袋Ｆ１から囲い枠部材５を分離する際に、枠部材５を上方に容易に取外すことができること、▲２▼折り畳みが簡単にできること、▲３▼底がないので材料コストを安くすることができること、等の利点があるからである。なお、有底の囲い枠部材を使用すると、袋Ｆ１を収容したまま枠部材を移動させる場合に便利である。囲い枠部材５に無底のものを使用するか、有底のものを使用するかは、使用状況を考慮して選択すればよい。
【００１７】
本考案の一例のオフィスや家庭等の雑紙回収装置の構成は上記の通りであるが、本考案装置は、オフィスや家庭などにおいて邪魔にならない箇所に枠部材５を恒常的に設置しておけば、袋Ｆ１，Ｆ２と紙紐２を補充するだけでよい。また、本考案装置が使用できる場所としては、オフィスや家庭のみならず、雑紙が排出される私的又は公的な様々な事業者，病院，学校，ホテルなどがある。
【００１８】
【考案の効果】
本考案は以上の通りであって、本考案装置によれば、従来、再製紙用の原料として回収ルートに乗せることができず、可燃ゴミとして焼却処分されていた雑紙を袋の収容して袋の口を紙紐で閉じた姿のまま回収ルートに乗せることができるのみならず、そのまま製紙工場の溶解再生処理装置に供給できるので、雑紙を再製紙用の原料として有効利用できるのみならず、そのための手間を大幅に省力化できるという効果が得られる。
【００１９】
また、本考案装置は、新聞古紙を利用しているので、全国同一寸法，形状で、かつ効率よく袋に形成することができ、製作コストも安くすることができる。更に、その袋は立姿勢で保持して設置し、回収時にはその袋の開口を紙紐で閉じるだけでよいから、利用し易いという効果がある。
【図面の簡単な説明】
【図１】本考案装置の構成部材の一つである袋の一例の斜視図。
【図２】本考案装置の構成部材の一つである袋の別例の斜視図。
【図３】図１に示した袋を用いた本考案装置の一例の使用状態を説明するための斜視図。
【図４】図１に示した袋を用いた本考案装置の別例の使用状態を説明するための斜視図。
【符号の説明】
１，３，４　　新聞古紙
２　　　　　　紙紐
２ａ　　　　　　テープ
５　　　　　　枠部材
５ａ　　　　　　手掛かり用孔
Ｆ１，Ｆ２　　　　袋
ｋ　　　　　　開口
ｚ　　　　　　雑紙
【図１】
0003097886.tif 000003
【図２】
0003097886.tif 000004
【図３】
0003097886.tif 000005
【図４】
0003097886.tif 000006